(57)【要約】【課題】用紙等長方形シートにパンチ等でファイリング用の穴あけを行う際のサイズ毎のセンター位置出し調節の煩雑さと不確実性、更にシートサイズの拡大に伴う本体の拡大をなくす。【解決手段】本発明の機構をパンチ等に付帯することで穴あけのためのＡ版，Ｂ版サイズ規格の用紙等長方形シートの１辺のセンター位置出しは、センター角調整ヘッド１により光源ホルダー３で光軸の角度（図７の例で短辺側であればセンター角３８．８度）が決まり、それにシートのそれぞれのコーナーを合わせることで行うことからサイズ毎の調節を不要にした。（長辺側であれば７０．５度）本機構ではセンター角の角度を変えても光軸は常にパンチ基台シート基準面中点位置７ｂ上で交差することから、任意の長方形シートの１辺のセンター位置出しも可能とした。このように単一機構で用紙等長方形シートの全サイズの対応が可能であることから、用紙サイズの拡大に伴うパンチ等本体の拡大は起こらない。【選択図】図８
2015009300.tif 000002
【特許請求の範囲】
【請求項１】
本発明は、Α版，Ｂ版サイズ規格のシートに２穴パンチ等でファイリング用の穴あけを行う際の位置決めを、θ１＝７０．５度のセンター角振り分け（３５．２５度ずつ）または、θ２＝３８．８度のセンター角振り分け（１９．４度ずつ）による２直線に基準面に合わせたシートの１辺と対向する同シートのそれぞれのコーナーを合わせることで行うものであり、２直線は可視光レーザー等直進性の高い光源で再現し且つその２直線は常にパンチ等で穴あけをするシートの１辺を合わせる基準面の中点上で交差する。この２直線を成す軸はその交点を中心とした同心円に直交した状態を維持しながらその同心円上に移動弧をもち、且つ２軸は同期してセンター振り分けによる角をなし、垂直方向でシート面と交差する程度の傾きをもつことを特徴とした非接触式のセンター位置出し機構を有するパンチ等。
【請求項２】
本発明は、任意の長方形シートのある辺に対して行うファイリング用の穴あけの位置決めをセンター角振り分けの機構を利用することで、基準面に合わせたシートの辺に対向する同シートのそれぞれのコーナーと２直線が同時に合うポイントでその辺のセンター位置出しを可能とした請求項１のパンチ等。
【発明の詳細な説明】
【技術分野】
【０００１】
本発明は、用紙等長方形シートのパンチ等による穴あけの際の辺のセンター位置決めに利用される、センタリング機構に関するものである。
【背景技術】
【０００２】
用紙等長方形シートのファイリングのためのパンチ等での穴あけは、長方形シートのサイズがいろいろあるため、穴あけを行う位置決めは辺のセンター位置出しによって行われる。
【０００３】
実用のパンチ等での穴あけの際のセンター位置出しは、わざわざ用紙を２つ折りして目印をつけてパンチ等のセンターマークと合わせる、あるいはあらかじめ規定のサイズ別に端面の位置を合わせることができる付帯の片側ガイド用のアームを都度調節したり、任意の長さの辺のセンター位置出しの場合も別の両サイドからセンターに向かって同期して動く両側ガイド用アームを同じく都度調節してセンター位置出しをする必要があった。これらは用紙サイズが変わる度に対応しなくてはならず、折り目をつける方法の場合はその折り目が認識しにくかったりガイド用アームでは煩雑な調節作業が必要となって調節を誤って、ずれた位置で穴あけをしてしまうなど効率的でなかった。
【０００４】
またガイド用アームが付帯される場合、全サイズを網羅しようとするとアーム長さが長くなるなどして、収納スペースが拡大する欠点があった。
【先行技術文献】
【特許文献】
【０００５】
【特許文献１】特開２０１１−２２４６９１号公報
【特許文献２】特開２００４−００９２３４号公報
【発明の概要】
【発明が解決しようとする課題】
【０００６】
Α版，Ｂ版サイズ規格の用紙等長方形シートに２穴パンチ等でファイリングのための穴あけを行うときシートの１辺のセンター位置出しが必要であるが、従来はこれに対応する方法としてシートを２つ折にしてセンター位置を確認したり、シートサイズ毎に調節可能な位置決めガイド用アーム等の機構を設けて位置出しをすることが主流であった。しかしこれらの方法でセンター位置出しを行う場合は、シートに不必要な折り目をつけてしまったり、ガイド用アーム等の機構の調節に手間を要したり、折り目の認識のしにくさや機構の調節ミスで狙った位置から外れた場所に穴をあけてしまうなどの問題があった。またあらゆるシートサイズに適応するためには、ガイド用アーム等の長さが長くなるなど、収納時のスペースがパンチ本体より拡大する問題があった。
【課題を解決するための手段】
【０００７】
本発明によると、Α版，Ｂ版サイズ規格の用紙等長方形シートにパンチ等で穴あけをする際のシートの１辺のセンター位置出しについて、用紙サイズの規格原理を利用して割り出したセンター角θを２本の直線に置き換えることで実現する。２本の直線はパンチ等で穴あけを行うシートの１辺を合わせる基準面の常に中点上で交差する直線であって、この直線を形成する軸はその交点を中心とした同心円と直交するもので、同時に同心円上に移動弧をもち且つ２軸は同期してセンター振り分けによる角をなす機構である。従って割り出されたセンター角θで設定された２本の直線に、基準面に合わせたシートの１辺のそれぞれの対向するコーナーを合わせることで、簡単にシート１辺のセンター位置が定まりその状態での穴あけが可能となる。Α版，Ｂ版サイズ規格のシートであれば、長辺側の穴あけでセンター角θ１＝７０．５度、短辺側の穴あけでセンター角θ２＝３８．８度の２種類のみの設定で全てのシートサイズのセンター位置出しが行え、ガイド用アーム等で実施するサイズ毎の調節を不要にした。このとき２本の直線は可視光レーザーなど直進性の高い光源で再現しており単一の機構で非接触のセンター位置出しのガイドを可能にしている。
【発明の効果】
【０００８】
本発明のセンター位置出し機構は、用紙等長方形シートのＡ版，Ｂ版サイズ規格であれば縦長、横長それぞれに対して１回の設定で全てのサイズの辺のセンター位置出しが可能で、且つ本機構を用いれば任意の長方形シートサイズに対するセンター位置出しが容易に実施可能である。また本機構の大きさはパンチ等で穴あけを行う用紙等長方形シートのサイズによらず一定で且つ小型化が容易であるため、大きいシートサイズに対応する場合でもそれに乗じて収納スペースが拡大することがなくなる。
【図面の簡単な説明】
【０００９】
【図１】センター位置出し機構をつけたパンチを示した斜視図である。
【図２】センター位置出し機構をつけたパンチを示した正面図である。
【図３】センター位置出し機構をつけたパンチを示した右側面図である。
【図４】センター位置出し機構をつけた左側面図である。
【図５】長辺のセンター位置決め方法を示した説明図である。(実施例１)
【図６】短辺のセンター位置決め方法を示した説明図である。（実施例２）
【図７】任意の長方形シートのセンター位置出し方法を示した説明図である。（実施例３）
【図８】センター位置出し機構の構成の１例を示した平面図である。
【図９】センター位置出し機構の構成の１例を示した正面図である。
【図１０】センター位置出し機構の構成の１例を示した右側面図である。
【発明を実施するための形態】
【００１０】
本発明の実施形態によると、Α版，Ｂ版サイズ規格の既知寸法シートであれば長辺側にパンチでファイル用の穴あけを実施する場合、図５に示すようにセンター角調整ヘッド１を７０．５度になる位置で固定して、図４に示す基台シート基準面７ａにシートの長辺を揃えてその対向する同シートのそれぞれのコーナーが２直線（直線光５）に重なるように位置調整をすることでシートサイズ毎に設定を変更することなく、穴あけのセンター位置出しができそのまま穴あけが行える。
【００１１】
本発明の実施形態によるとΑ版，Ｂ版サイズ規格の既知寸法シートであれば短辺側にパンチでファイル用の穴あけを実施する場合、図６に示すようにセンター角調整ヘッド１を３８．８度になる位置で固定して、図４に示す基台シート基準面７ａにシートの短辺を揃えてその対向する同シートのそれぞれのコーナーが２直線（直線光５）に重なるように位置調整をすることでシートサイズ毎に設定を変更することなく、穴あけのセンター位置出しができそのまま穴あけが行える。
【００１２】
本発明の実施形態によると任意の長方形シートのある辺にパンチでファイル用の穴あけを実施する場合、図７に示すようにその長方形シートの穴あけを行う辺を図４に示す基台シート基準面７ａに揃え、センター角調整ヘッド１を調整してその対向する同シートのそれぞれのコーナーに２直線（直線光５）が同時に重なるθ３、θ４を割り出すことでシートの穴あけをする辺のセンター位置が図８に示す基台シート基準面中点位置７ｂと一致する形で決まる、もしくは長方形シートの１辺のセンター位置を知ることができ、どのような長方形でも所望の辺のセンター位置で穴あけが行える。
【産業上の利用可能性】
【００１３】
本発明の機構は、２直線の角度が変わってもその交点位置が一定であり、その２直線によって表される角度は交点を通る中心線からの振り分けであることから、用紙等長方形シートのファイリングのための穴あけを行うパンチ等に付帯すれば、センター位置出しガイドとして設定がシンプルでサイズ毎の都度の調節が必要なく調節間違いも起こらないことから、作業効率の向上が期待できる。また本発明の機構は小型化が容易であるため、これを付帯するパンチ等自体の小型化が可能で、意匠的にも自由度が増し有利になる。
【符号の説明】
【００１４】
１  センター角調整ヘッド
２  センター角割出しベース
３  光源ホルダー
４  光源ユニット
５  直線光（可視光）
６  光源電源ケーブル
７  パンチ基台
８  パンチハンドル
９  パンチ刃ガイド
１０  パンチ刃
１１  パンチ刃連結シャフト
１２  パンチハンドル連結シャフト
１ａ  センター角調整ヘッドスライド溝
１ｂ  センター角調整ヘッド光源ホルダー連結溝
２ａ  センター角割出しスライドレール
２ｂ  センター角割出し光源ホルダースライドレール
３ａ  光源ホルダーセンター角調整ヘッド連結アーム
３ｂ  光源ホルダースライド溝
７ａ  パンチ基台シート基準面
７ｂ  パンチ基台シート基準面中点位置
７ｃ  パンチ基台パンチホール
【図１】
2015009300.tif 000003
【図２】
2015009300.tif 000004
【図３】
2015009300.tif 000005
【図４】
2015009300.tif 000006
【図５】
2015009300.tif 000007
【図６】
2015009300.tif 000008
【図７】
2015009300.tif 000009
【図８】
2015009300.tif 000010
【図９】
2015009300.tif 000011
【図１０】
2015009300.tif 000012